(57)【要約】【課題】  軒先における意匠性および汎用性を向上し、さらに、施工作業を迅速に容易く行なえ、軒天井等の化粧まで仕上げることが可能な建築物の軒先構造を提供すること。【解決手段】  建築物の軒先に取付部材７を経て取り付けられる化粧部材１１と、取付部材７に係止する外装材１２によって構築される軒先構造において、取付部材７は、下地１の軒先端部に取り付ける固定部８ａと、下地１の軒先端部の外側に突出状の被嵌合係止部９ｃと、外装材１２軒先側の係止部１２ｂが係止される被係止部９ｅを有し、化粧部材１１は、被嵌合係止部９ｃに嵌合係止可能な嵌合係止部１１ａを有し、固定部８ａを下地１の軒先端部に取り付け固定し、被係止部９ｅに外装材１２軒先側の係止部１２ｂを係止し、被嵌合係止部９ｃに化粧部材１１の嵌合係止部１１ａを嵌合係止している。【選択図】  図１
2006124982.tif 000002
【特許請求の範囲】
【請求項１】
建築物の軒先に取付部材を経て取り付けられる化粧部材と、取付部材に係止する外装材によって構築される軒先構造において、
前記取付部材は、下地の軒先端部に取り付ける固定部と、下地の軒先端部の外側に突出状の被嵌合係止部と、外装材軒先側の係止部が係止される被係止部を有し、
前記化粧部材は、前記の被嵌合係止部に嵌合係止可能な嵌合係止部を有し、
取付部材における固定部を下地の軒先端部に取り付け固定し、
取付部材の被係止部に外装材軒先側の係止部を係止し、
取付部材の被嵌合係止部に化粧部材の嵌合係止部を嵌合係止していることを特徴とする建築物の軒先構造。
【請求項２】
取付部材が、固定部を有する軒先端部取り付け材と、被嵌合係止部および被係止部を有する唐草取り付け材からなり、当該軒先端部取り付け材の被嵌合取り付け部に唐草取り付け材の嵌合取り付け部を嵌合取り付けてあることを特徴とする請求項１記載の建築物の軒先構造。
【発明の詳細な説明】
【技術分野】
【０００１】
本発明は建築物の軒先構造に関する。
【背景技術】
【０００２】
建築物の軒先は、躯体や下地材等を覆うように形成され、その方法は、特許文献１のように、屋根の下地材等を覆うもの（化粧部材と称される）や、さらに、特許文献２のように、幕板、水切り等の別部材を組み付けるもの等が存在する。
前者の場合、横葺屋根板の成形部等と係合する係合部と建築物の軒先に取り付けられる取付部と建築物の軒先を覆う垂下部を主構成としている。
さらに詳細には、固定部は、躯体あるいは下地材にビス止めするフラット状やＬ字状、あるいは下地材に嵌める略コ字状等で構成され、垂下部は躯体の形状に沿う階段状に形成されている。
後者の場合、前記化粧部材に水切りや幕板をビス等の固着具で固定したものが提案されている。さらに、化粧を目的として、特許文献３のように、壁から支持材を持ち出し、軒天井等を設けることも行われている。
しかし、前者は、躯体の形状に沿わせるため、外観意匠が「階段状」にならざるを得ず、意匠性に乏しいものであった。
一方後者は、部品点数の増加が避けられず、施工に手間がかかるという問題があった。さらに壁から支持材等を持ち出すため、屋根工事とは別に行なわなければならないという問題もあった。
そして、かかる特許文献１〜３に共通していえることとして、軒先における意匠性および汎用性の向上について未だ不十分であった。
【特許文献１】特開平５−１５６７６６
【特許文献２】特開平７−３１７２５５
【特許文献３】特許３３５９７３４
【発明の開示】
【発明が解決しようとする課題】
【０００３】
解決しようとする課題は、第１には、軒先（けらば等の端部を含む）における意匠性および汎用性を向上し、さらに、施工作業を迅速に容易く行なえ、しかも、軒天井等の化粧まで仕上げることが可能な建築物の軒先構造を、第２には、さらに、軒先端部に取り付けられる部品を共通化して汎用性を高めることが可能な建築物の軒先構造を提供することにある。
【課題を解決するための手段】
【０００４】
本発明は前記した課題を達成するため、以下の構成にしたことを特徴とする。
１．建築物の軒先に取付部材を経て取り付けられる化粧部材と、取付部材に係止する外装材によって構築される軒先構造において、前記取付部材は、下地の軒先端部に取り付ける固定部と、下地の軒先端部の外側に突出状の被嵌合係止部と、外装材軒先側の係止部が係止される被係止部を有し、前記化粧部材は、前記の被嵌合係止部に嵌合係止可能な嵌合係止部を有し、取付部材における固定部を下地の軒先端部に取り付け固定し、取付部材の被係止部に外装材軒先側の係止部を係止し、取付部材の被嵌合係止部に化粧部材の嵌合係止部を嵌合係止していることを特徴とする。
本発明における下地は、木材製の躯体、鉄骨製の躯体、コンクリート製の躯体などの各種材料で構築される躯体、躯体上に配された垂木等の支持部材あるいは野地材等の下地材等をさし、化粧部材を軒先端部に取り付け固定可能である全てのものが対象になる。
取付部材は、押し出し成形やロール成形によって成形された連続材すなわち通し材である。この取付部材は、固定部と被嵌合係止部と被係止部を有する一体構造の態様であってもよいし、固定部を有する軒先端部取り付け材と、被嵌合係止部および被係止部を有する唐草取り付け材との別部材による組み構造の態様、さらには、それぞれ別体の固定部と被嵌合係止部と被係止部とによる組み構造であってもよい。取付部材が軒先端部取り付け材と唐草取り付け材との別部材である場合における嵌合取り付け手段は、嵌合することで両者を合体状態に取り付けられるものであればよい。
固定部は、垂木等の上面に沿う形状あるいは躯体の軒先に沿う形状であってもよく、下地に沿う形状であるのが望ましい。また、固定部が躯体に沿う形状の場合、固定部と上面部間に、垂木や下地材等の厚さに相当する高さの立ち上げ部を介してもよい。この固定部の下地に対する固定は、ビス、ボルト（アンカー）等の固着具により行なわれるものであり、下地の材質に応じて適宜用いられる。
被嵌合係止部は、化粧部材における嵌合係止部と嵌合係止することにより、化粧部材を合体状態に取り付け可能であればよく、その限りにおいて制限はない。
被係止部は、被嵌合係止部の上側後方（棟側）に設けてもよいし、被嵌合係止部の上側に設けるようにしてもよい。この被係止部と外装材軒先側の係止部との係止関係は、外装材の軒先側がめくれあがったりしないような係止状態が得られるものであればよい。
化粧部材は、押し出し成形やロール成形によって成形された連続材すなわち通し材である。この化粧部材における嵌合係止部は、取付部材の被嵌合係止部に嵌合係止することで、取付部材に合体状態に取り付け可能であればよく、その限りにおいて制限はない。また化粧部材の上面部は、水平状、傾斜状、円弧状、段状、その他の任意の形状であってもよい。化粧部は、上面部先端側（先端あるいは先端近く）下面から内方に向けて延びるものでもよいし、この化粧部下面の化粧面は、水平状、傾斜状、円弧状、段状、その他の任意の形状であってもよい。また、かかる上面部と化粧部は、双方がデザイン的に協調した半円状、三角状、その他の任意のデザイン形状に形成してもよく、軒先意匠に応じて適宜形成されることになる。たとえば、外装材の勾配が参考になる。
外装材は、溶融亜鉛メッキ鋼板やガルバリウム鋼板等の防錆処理鋼板、特殊鋼及び非鉄金属、ステンレス鋼板、耐候性鋼板、銅板、アルミニウム合金板、鉛板、亜鉛板、チタニウム板などが挙げられるが、特にこれらに限定されるものではない。また、この外装材の裏面には、断熱、防火等の目的や要求に応じて、グラスウールやロックウールのシート、或いはポリエチレンフォーム等の樹脂発泡シートを裏貼りしていても良い。
２．前記した１において、取付部材が、固定部を有する軒先端部取り付け材と、被嵌合係止部および被係止部を有する唐草取り付け材からなり、当該軒先端部取り付け材の被嵌合取り付け部に唐草取り付け材の嵌合取り付け部を嵌合取り付けてあることを特徴とする。
被嵌合取り付け部と嵌合取り付け部の嵌合取り付け関係は、取付部材を軒先端部取り付け材に合体状態に嵌合して取り付け可能であればよく、その限りにおいて制限はない。
【発明の効果】
【０００５】
Ａ．請求項１により、任意のデザインの化粧部材で様々な軒先意匠に仕上げて軒先意匠を高めることができると共に、この化粧部材と別体の取付部材を定型化できるので汎用性が向上する。
さらに、化粧部材を取付部材に嵌合係止するという嵌め合い構造にしてあることで施工作業を単純化して迅速に容易く行なえる。
しかも、軒天井等の化粧まで仕上げることができる。
Ｂ．請求項２により、さらに、軒先端部に取り付けられる軒先端部取り付け材を唐草取り付け材と別体にすることで、外装材の係止態様あるいは化粧部材の嵌合係止態様が変更されて、唐草取り付け材における被係止部あるいは被嵌合係止部が変わる場合であっても、軒先端部取り付け材を共通化することでき汎用性を高めることができる。
【発明を実施するための最良の形態】
【０００６】
図１には本発明の建築物の軒先構造における実施の１形態として、横葺屋根の軒先構造を例示しており、下地１は、鉄骨２上の下地材３における下地材上面３ａに断熱材５を下地材上面３ａの軒棟方向に沿う垂木４における垂木上面４ａを跨ぐようにして敷設し、この断熱材５上に横葺き屋根板１２を敷設して葺いてある。この下地材３および垂木４は鉄骨２に固定具（図示セズ）で取り付け固定されている。
そして、壁面６から外側に張り出している垂木４の軒先端部４ｂには取付部材７における軒先端部取り付け材８の固定部８ａをビス等の固定具１０で取り付け固定してある。
【０００７】
取付部材７は、別体の軒先端部取り付け材８と唐草取り付け材９からなり、それぞれ押出し成形してある。
軒先端部取り付け材８は、固定部８ａと、当該固定部８ａから延設されて外側に突出状の被嵌合取り付け部８ｂを有し、この被嵌合取り付け部８ｂには唐草取り付け材９の嵌合取り付け部９ａが外側から内側に向けて押し込まれて嵌合されていると共に、被嵌合取り付け部８ｂにおける上下の係止鍔部８ｃに嵌合取り付け部９ａの上下の係止凹部９ｂがそれぞれ乗り越えて係止することで抜け外れないように嵌合取り付けられている。この嵌合取り付け状態すなわち合体状態は、軒先端部取り付け材８に対して唐草取り付け材９が上下および内外方向に遊び動かずがたつかない状態である。また、軒先端部取り付け材８は、被嵌合取り付け部８ｂから下方内側に延びるストッパー８ｄを有しており、固定部８ａを垂木４に固定するに際して、ストッパー８ｄが垂木４端部に当接することで固定位置を決められるようにしてある。
【０００８】
唐草取り付け材９は、嵌合取り付け部９ａと、この嵌合取り付け部９ａから延設されて外側に突出状の上下一対の被嵌合係止部９ｃと、上側の被嵌合係止部９ｃから延設されて上方に突出状の被係止部９ｅと、嵌合取り付け部９ａから延設されて下方に垂下状の幕板取り付け部９ｇを有し、上下の凹状の被嵌合係止部９ｃには化粧部材１１の上下の嵌合係止部１１ａがそれぞれ外側から内側に向けて押し込まれて嵌合されていると共に、被嵌合係止部９ｃ内における顎状係止部９ｄに嵌合係止部１１ａの係止爪部１１ｂがそれぞれ乗り越えて係止することで抜け外れないように嵌合係止している。この嵌合係止状態すなわち合体状態は、唐草取り付け材９に対して化粧部材１１が上下および内外方向に遊び動かずがたつかない状態である。
被係止部９ｅは、上側の被嵌合係止部９ｃから内側に延長された後に外側に向けて斜め下向きに折り返されて形成されており、この斜め下向きの被係止片部９ｆで横葺き屋根板１２軒先端の係止部１２ｂを弾性的に係止可能に形成されている。この被係止部９ｅには横葺き屋根板１２軒先端の係止部１２ｂが弾性的に係止され、めくり上がらないように葺かれている。幕板取り付け部９ｇには幕板１３がビス等の固定具１４で取り付けられ、この幕板１３は壁面６まで達して軒天井部１５が形成されている。
【０００９】
化粧部材１１は、押し出し成形した一体成形品で、上面部１１ｃと、上面部１１ｃ先端近く下面から内方に向けて連続して延びる傾斜状の化粧部１１ｄを有する断面略横向きＶ字状に成形している。そして、上面部１１ｃと化粧部１１ｄは、それぞれの内側端部に嵌合係止部１１ａを設け、この上下の嵌合係止部１１ａを被嵌合係止部９ｃに嵌合し、係止爪部１１ｂを顎状係止部９ｄに係止させてある。かかる嵌合係止状態すなわち合体状態は、化粧部材１１が唐草取り付け材９に対して上下および内外方向に遊び動かずがたつかない状態である。そのため、上面部１１ｃと化粧部１１ｄには、それぞれの内側端部に段違い状の当接面部１１ｅを被嵌合係止部９ｃの開口縁部９ｈと合体状態で突き合うように形成してある。
横葺き屋根板１２は、斜め下向きの軒先端１２ａから内側に折り返された係止部１２ｂを有し、この係止部１２ｂは唐草取り付け材９の被係止部９ｅに弾性的に係止されている。
【００１０】
図２には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
唐草取り付け材９における凸状の被嵌合係止部９ｃは、上下の被係止鍔部９ｉに嵌合係止部１１ａの上下の係止突部１１ｆがそれぞれ乗り越えて係止することで抜け外れないように嵌合係止している。この嵌合係止状態すなわち合体状態は、唐草取り付け材９に対して化粧部材１１が上下および内外方向に遊び動かずがたつかない状態である。
そして、かかる合体状態は、下側の被係止鍔部９ｉと係止突部１１ｆが嵌合係止している状態にビス等の固定具１６で止着されていることにより固定されている。
化粧部材１１の上面部１１ｃは斜め下向きに成形されていて、横葺き屋根板１２における斜め下向きの軒先端１２ａと同傾斜状の軒先意匠に形成されている。
【００１１】
図３には本発明の建築物の軒先構造における実施の１形態として、他の横葺屋根の軒先構造を例示しており、構成は前記した図２の態様のものと基本的に同一であるため、共通している構成の説明は符号を準用して省略し、相違する構成について説明する。
化粧部材１１の上面部１１ｃは略水平状に成形されていて、横葺き屋根板１２の水勾配と同傾斜状の軒先意匠に形成されている。
【００１２】
図４には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の上面部１１ｃは斜め下向きに成形されていて、横葺き屋根板１２における斜め下向きの軒先端１２ａと同傾斜状の軒先意匠に形成されている。
【００１３】
図５には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の上面部１１ｃおよび化粧部１１ｄは連続した断面略半円状に成形されていて、半円筒状の軒先意匠に形成されている。
【００１４】
図６には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の上面部１１ｃおよび化粧部１１ｄは連続した断面略三角状に成形されていて、三角筒状の軒先意匠に形成されている。
【００１５】
図７には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の上面部１１ｃは連続した断面略Ｓ字状に成形されていて、上面部１１ｃが２つの連続した曲面を持つ軒先意匠に形成されている。
【００１６】
図８には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の化粧部１１ｄは上面部１１ｃと連続した断面略半円状に成形されていて、半円筒状の軒先意匠に形成されている。
【００１７】
図９には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の化粧部１１ｄは連続した断面略Ｓ字状に成形されていて、化粧部１１ｄが２つの連続した曲面を持つ軒先意匠に形成されている。
【００１８】
図１０には本発明の建築物の軒先構造における実施の１形態として、他の横葺屋根の軒先構造を例示しており、構成は前記した図１の態様のものと基本的に同一であるため、共通している構成の説明は符号を準用して省略し、相違する構成について説明する。
化粧部材１１の上面部１１ｃおよび化粧部１１ｄは外側端が断面略半円状に連続している断面略先丸矩形状に成形されていて、先丸板状の軒先意匠に形成されている。
【図面の簡単な説明】
【００１９】
【図１】本発明の建築物の軒先構造における実施の１形態として、横葺屋根の軒先構造を例示している縦断面図。
【図２】本発明の建築物の軒先構造における実施の１形態として、他の横葺屋根の軒先構造を例示している縦断面図。
【図３】本発明の建築物の軒先構造における実施の１形態として、他の横葺屋根の軒先構造を例示している縦断面図。
【図４】本発明の建築物の軒先構造における実施の１形態として、他の横葺屋根の軒先構造を例示している縦断面図。
【図５】本発明の建築物の軒先構造における実施の１形態として、他の横葺屋根の軒先構造を例示している縦断面図。
【図６】本発明の建築物の軒先構造における実施の１形態として、他の横葺屋根の軒先構造を例示している縦断面図。
【図７】本発明の建築物の軒先構造における実施の１形態として、他の横葺屋根の軒先構造を例示している縦断面図。
【図８】本発明の建築物の軒先構造における実施の１形態として、他の横葺屋根の軒先構造を例示している縦断面図。
【図９】本発明の建築物の軒先構造における実施の１形態として、他の横葺屋根の軒先構造を例示している縦断面図。
【図１０】本発明の建築物の軒先構造における実施の１形態として、他の横葺屋根の軒先構造を例示している縦断面図。
【符号の説明】
【００２０】
１  下地
２  鉄骨
３  下地材
３ａ  下地材上面
４  垂木
４ａ  垂木上面
４ｂ  軒先端部
５  断熱材
６  壁面
７  取付部材
８  軒先端部取り付け材
８ａ  固定部
８ｂ  被嵌合取り付け部
８ｃ  係止鍔部
８ｄ  ストッパー
１０、１４、１６  固定具
９  唐草取り付け材
９ａ  嵌合取り付け部
９ｂ  係止凹部
９ｃ  被嵌合係止部
９ｄ  顎状係止部
９ｅ  被係止部
９ｆ  被係止片部
９ｇ  幕板取り付け部
９ｈ  開口縁部
９ｉ  被係止鍔部
１１  化粧部材
１１ａ  嵌合係止部
１１ｂ  係止爪部
１１ｃ  上面部
１１ｄ  化粧部
１１ｅ  当接面部
１１ｆ  係止突部
１２  横葺き屋根板（外装材）
１２ａ  軒先端
１２ｂ  係止部
１３  幕板
１４  固定具
１５  軒天井部
【図１】
2006124982.tif 000003
【図２】
2006124982.tif 000004
【図３】
2006124982.tif 000005
【図４】
2006124982.tif 000006
【図５】
2006124982.tif 000007
【図６】
2006124982.tif 000008
【図７】
2006124982.tif 000009
【図８】
2006124982.tif 000010
【図９】
2006124982.tif 000011
【図１０】
2006124982.tif 000012